(57)【特許請求の範囲】
【請求項１】
ショーケース本体（１）の前面開口部（３）に設けた開口枠（１９）が備える上ガイド枠（２０）および下ガイド枠（２１）で、左右一対のスライド扉（４）がスライド開閉自在に案内されており、
開口枠（１９）が備える一対の側枠（２２・２３）の対向面の前後には３個の区画壁（３６）が突設されて、隣接する区画壁（３６・３６）の間に、閉止状態におけるスライド扉（４）の戸先框（１０）を収容する前戸袋溝（３７ａ）と後戸袋溝（３７ｂ）とが形成されており、
前記戸先框（１０）と前戸袋溝（３７ａ）および後戸袋溝（３７ｂ）の対向面間にシール構造が設けてあるリーチイン型のショーケースであって、
前戸袋溝（３７ａ）および後戸袋溝（３７ｂ）の前後の対向内面間隔（Ｌ）の中心で規定される各戸袋溝（３７ａ・３７ｂ）の溝中心（Ｄ）を、戸先框（１０）の前後幅（Ｂ）の中心で規定される各スライド扉（４・４）の戸先中心（Ｇ）より前側に偏倚させて、前戸袋溝（３７ａ）および後戸袋溝（３７ｂ）の前側に位置する区画壁（３６）の後面と、戸先框（１０）の前面との間に、スライド扉（４）の前方への反り変形を吸収する余裕空間（Ｓ）が確保してあることを特徴とするリーチイン型のショーケース。
【請求項２】
戸先框（１０）の閉じ端側の前面および後面の少なくとも前面に逃げ面（４４）を設けて、戸先框（１０）の先端部が先窄まり状に形成されている請求項１に記載のリーチイン型のショーケース。
【請求項３】
各戸袋溝（３７ａ・３７ｂ）の前側に位置する区画壁（３６）の後面に拡幅面（４５）を形成して、各戸袋溝（３７ａ・３７ｂ）の対向内面間隔（Ｌ）が、区画壁（３６）の先端に行くにしたがって広がるように構成されている請求項１または２に記載のリーチイン型のショーケース。
【請求項４】
シール構造が、戸先框（１０）の閉じ端面に設けられる磁石（１６）を備える扉パッキン（１５）と、前戸袋溝（３７ａ）および後戸袋溝（３７ｂ）の溝底（３９）に配置される磁性金属板製の吸着板（４０）とで構成されている請求項１から３のいずれかひとつに記載のリーチイン型のショーケース。
【発明の詳細な説明】
【技術分野】
【０００１】
本発明は、冷蔵室の前面開口に左右一対のスライド扉が配置されており、スライド扉の戸先框と側枠の間にシール構造が配置されているリーチイン型のショーケースに関する。
【背景技術】
【０００２】
この種のショーケースは特許文献１に公知である。係る特許文献１のショーケースでは、上枠と下枠とに支持されてスライド開閉可能な一対のスライド扉を備えている。左右の枠（側枠）は、前後方向に延びる基板と、基板の前側領域において前後方向に所定間隔を開けて突設した３個の仕切板とを備えており、隣接する仕切板の間にスライド扉を受け入れる収納溝（戸袋溝）が形成されている。シール構造は、スライド扉の閉鎖枠片に装着されたマグネットパッキンと、収納溝の溝底に装着された磁性金属板とで構成されており、マグネットパッキンが備える磁石と磁性金属板との磁気吸着作用でスライド扉と左右の枠との隙間を封止している。収納溝の前後方向の幅寸法は、閉鎖枠片の前後方向の幅寸法よりも大きく設定されている。スライド扉をスライド開閉自在に案内するガイド構造は、上枠のガイド溝と、下枠の突条とで構成されており、収納溝の前後幅の中央位置と、閉鎖枠片の前後幅の中央位置とが略一致するように設けられている。これにより、閉鎖枠片は、収納溝の前後方向の中央部に収納されるようになっている。
【先行技術文献】
【特許文献】
【０００３】
【特許文献１】特開２００７−７５３３４号公報（図５）
【発明の概要】
【発明が解決しようとする課題】
【０００４】
ショーケースのスライド扉は、単層あるいは複層のガラス板と、その周縁を支持する扉枠で構成されることが多く、庫内と庫外の温度差により扉枠の庫内側が収縮して反り変形が発生しやすい。具体的には、スライド扉の全体の上下方向の中央部が庫外側に膨出変形する。とくに断熱性を向上するためにプラスチック材で形成された扉枠を備えたスライド扉において、この反り変形が顕著にあらわれる。
【０００５】
上記のように反り変形が生じている状態で、スライド扉を開放状態から閉じ操作すると、閉鎖枠片の上下方向中央部が、収納溝を区画する前側の仕切壁の先端に衝突して、閉鎖枠片を収納溝内に収めることができなくなる。このように、閉鎖枠片の閉じ状態が不完全であると、マグネットパッキンを磁性金属板に吸着させることができず、マグネットパッキンと磁性金属板の隙間から冷気が漏れ出して庫内温度が上昇してしまう。また、衝突の際に仕切壁、あるいは閉鎖枠片が破損するおそれがある。
【０００６】
また、仕切壁および閉鎖枠片の構造に関して、収納溝の前後幅を十分に大きくし、あるいは閉鎖枠片の前後幅を十分に小さくすると、閉鎖枠片が仕切壁に衝突するのを回避できる。しかし前者の場合には、収納溝の前後幅を大きくした分だけショーケースの容量が小さくなる、あるいはショーケースの前後サイズが大きくなる等の不具合がある。後者の場合には、扉枠の構造強度が低下して、スライド扉の開閉操作時に扉枠が破損するおそれがある。
【０００７】
本発明の目的は、庫内外の温度差によりスライド扉に反り変形が生じた場合でも、戸先框が戸袋溝の区画壁に衝突するのを解消して、スライド扉の閉じ操作を常に円滑に行えるリーチイン型のショーケースを提供することにある。
本発明の目的は、スライド扉の戸先框、および側枠の戸袋溝の前後サイズが従来と同様であっても、反り変形が生じたスライド扉の戸先框を適切に戸袋溝に収容して、シール機能を確実に発揮できるリーチイン型のショーケースを提供することにある。
【課題を解決するための手段】
【０００８】
本発明は、ショーケース本体１の前面開口部３に設けた開口枠１９が備える上ガイド枠２０および下ガイド枠２１で、左右一対のスライド扉４がスライド開閉自在に案内されており、開口枠１９が備える一対の側枠２２・２３の対向面の前後には３個の区画壁３６が突設されて、隣接する区画壁３６・３６の間に、閉止状態におけるスライド扉４の戸先框１０を収容する前戸袋溝３７ａと後戸袋溝３７ｂとが形成されており、前記戸先框１０と前戸袋溝３７ａおよび後戸袋溝３７ｂの対向面間にシール構造が設けてあるリーチイン型のショーケースを対象とする。前戸袋溝３７ａおよび後戸袋溝３７ｂの前後の対向内面間隔Ｌの中心で規定される各戸袋溝３７ａ・３７ｂの溝中心Ｄを、戸先框１０の前後幅Ｂの中心で規定される各スライド扉４・４の戸先中心Ｇより前側に偏倚させて、前戸袋溝３７ａおよび後戸袋溝３７ｂの前側に位置する区画壁３６の後面と、戸先框１０の前面との間に、スライド扉４の前方への反り変形を吸収する余裕空間Ｓが確保してあることを特徴とする。
【０００９】
戸先框１０の閉じ端側の前面および後面の少なくとも前面に逃げ面４４を設けて、戸先框１０の先端部を先窄まり状に形成する。
【００１０】
各戸袋溝３７ａ・３７ｂの前側に位置する区画壁３６の後面に拡幅面４５を形成して、各戸袋溝３７ａ・３７ｂの対向内面間隔Ｌを、区画壁３６の先端に行くにしたがって広がるように構成する。
【００１１】
シール構造を、戸先框１０の閉じ端面に設けられる磁石１６を備える扉パッキン１５と、前戸袋溝３７ａおよび後戸袋溝３７ｂの溝底３９に装着される磁性金属板製の吸着板４０とで構成する。
【発明の効果】
【００１２】
本発明においては、前戸袋溝３７ａおよび後戸袋溝３７ｂの前後の対向内面間隔Ｌの中心で規定される各戸袋溝３７ａ・３７ｂの溝中心Ｄを、戸先框１０の前後幅Ｂの中心で規定される各スライド扉４・４の戸先中心Ｇより前側に偏倚させて、前戸袋溝３７ａおよび後戸袋溝３７ｂの前側に位置する区画壁３６の後面と、戸先框１０の前面との間に、スライド扉４の前方への反り変形を吸収する余裕空間Ｓを確保した。これによれば、戸先框１０が前戸袋溝３７ａおよび後戸袋溝３７ｂに進入する際に、余裕空間Ｓの分だけスライド扉４の反り変形を吸収できる。従って、庫内外の温度差によりスライド扉４に反り変形が生じた場合でも、戸先框１０が前後の戸袋溝３７ａ・３７ｂの区画壁３６に衝突するのを解消して、スライド扉４の閉じ操作を常に円滑に行える。また、例えばスライド扉４の戸先框１０、および左右の側枠２２・２３の各戸袋溝３７ａ・３７ｂの前後サイズが従来と同様であっても、余裕空間Ｓの分だけスライド扉４の反り変形を吸収でき、戸先框１０を前戸袋溝３７ａおよび後戸袋溝３７ｂに適切に収容して、シール構造によるシール機能を確実に発揮できる。
【００１３】
戸先框１０の閉じ端側の前面および後面の少なくとも前面に逃げ面４４を設けて、戸先框１０の先端部を先窄まり状に形成すると、閉じ端面部分の戸先框１０の前後幅Ｂを小さくでき、前後幅Ｂが小さくなった分だけ戸先框１０が区画壁３６に衝突するのをよく解消でき、スライド扉４の閉じ操作を常に円滑に行える。
【００１４】
各戸袋溝３７ａ・３７ｂの前側に位置する区画壁３６の後面に拡幅面４５を形成して、各戸袋溝３７ａ・３７ｂの対向内面間隔Ｌを、区画壁３６の先端に行くにしたがって広がるように構成した。これによれば、各戸袋溝３７ａ・３７ｂの対向内面間隔Ｌが広がった分だけ、戸先框１０が区画壁３６に衝突するのをさらに解消でき、スライド扉４の閉じ操作を常に円滑に行える。
【００１５】
磁石１６を備える扉パッキン１５と、磁性金属板製の吸着板４０とでシール構造を構成すると、磁石１６と吸着板４０との磁気吸着作用で、スライド扉４を閉じ状態に保持できる。これにより、スライド扉４が閉止状態のときに、スライド扉４の反り変形の度合いが変化して、スライド扉４の上下方向の中央部が前後に変位するような場合でも、扉パッキン１５が吸着板４０に密着しながら追随して、スライド扉４と側枠２２・２３との隙間を確実に封止して庫内空気の流出を防止できる。
【図面の簡単な説明】
【００１６】
【図１】本発明に係るショーケースの戸先框が戸袋溝に収容されている状態を示す横断平面図である。
【図２】ショーケースの正面図である。
【図３】ショーケースの縦断側面図である。
【図４】スライド扉部分の縦断側面図である。
【図５】スライド扉部分を示す横断平面図である。
【図６】スライド扉が反り変形した状態を示す説明図である。
【発明を実施するための形態】
【００１７】
（実施例）  図１から図６に本発明に係るリーチイン型のショーケースの実施例を示す。本実施例における前後、左右、上下とは、図２および図３に示す矢印と、各矢印の近傍に表記した前後、左右、上下の表示に従う。図２および図３に示すように、ショーケース本体１の内部には冷蔵室２が設けられており、その前面開口部３は左右一対のスライド扉４・４でスライド開閉できる。冷蔵室２の内部には複数の棚板５が配されており、棚板５上に例えば飲料容器を載置して冷却する。ショーケース本体１の下方には機械室６が配置されており、圧縮機ＣＰ、凝縮器Ｃ、送風ファンＦ１などが収容されている。また、冷蔵室２内の上部には蒸発器Ｅが配置されて、庫内ファンＦ２で送給された冷蔵室２内の空気を冷却している。
【００１８】
図２および図４に示すように、スライド扉４は、複層板ガラスで構成される扉本体８と、扉本体８の四周縁に固定される扉枠９とからなる。扉枠９は戸先側に配される戸先框１０と、戸尻側に配される戸尻框１１と、戸先框１０および戸尻框１１の上端部どうし、および下端部どうしを接続する上框１２および下框１３で構成されている。戸先框１０は、横断面形状が横長の略長方形状に形成されており、その前面には、スライド扉４を開閉操作する際に手指を掛けるためのハンドル１４が突出形成されている（図１参照）。戸先框１０の閉じ端面には、内部に棒状の磁石１６が配置された扉パッキン１５が上下方向の全長にわたって設けられている。下框１３には、スライド扉４を支持する左右一対のローラー１７・１７が配置されており、このローラー１７でスライド扉４のスライド開閉時の摺動抵抗を減じている。一対のローラー１７・１７は、下框１３の前後中心に位置するように配置されている。扉枠９を構成する戸先框１０、戸尻框１１、上框１２、および下框１３は、スライド扉４の断熱性を向上するためにそれぞれプラスチックを素材とする押出成形品で形成されており、本実施例では、塩化ビニルを押出成形して得られた条材を所定形状に切断および加工して形成している。扉枠９は、各框１０・１１・１２・１３の固定溝に扉本体８を嵌め込んだ状態で、戸先および戸尻の框１０・１１の上下端部をそれぞれ上框１２および下框１３にビスで固定している。
【００１９】
図２に示すようにショーケース本体１の前面開口部３には、開口枠１９が設けられている。開口枠１９は、上ガイド枠２０および下ガイド枠２１と、左右一対の側枠２２・２３とを備える。左右一対のスライド扉４・４は、上ガイド枠２０および下ガイド枠２１とでスライド開閉自在に案内されている。図４に示すように、上ガイド枠２０は、水平の固定壁２５と、固定壁２５の前後端および中央部から下向きに伸びる３個の支持壁２６と、各支持壁２６の下端から水平方向に伸びるガイド壁２７とで断面が略横臥Ｅ字状に形成されている。隣接するガイド壁２７・２７間に形成される隙間は、スライド扉４の上框１２の前後幅よりも僅かに大きく設定されており、各スライド扉４の上側は、上框１２が前後のガイド壁２７で僅かなクリアランスを介してスライド自在に案内される。
【００２０】
中央および後側の支持壁２６の前面には、支持壁２６で生じた結露水を受止める凹凸面２８が形成されている。凹凸面２８の下方に位置するガイド壁２７には、上向きに樋壁が突接されて樋部２９が形成されている。凹凸面２８で受止めきれず凹凸面２８から結露水が溢れた場合には、樋部２９で溢れた結露水を受止めて、側枠２２・２３を介して排水するようになっている。図示していないが、各スライド扉４の上端前縁にはシール舌片が設けられており、各スライド扉４の前面と、スライド扉４の前側に位置する支持壁２６の間をシール舌片により封止して、上ガイド枠２０部分での庫内空気の流出を防止している。
【００２１】
図４に示すように下ガイド枠２１は、前面開口部３に固定される横臥コ字状の固定壁３１と、固定壁３１の前後、および中央から上方に延設される３個のシール壁３２を一体に備えている。隣接するシール壁３２・３２間の固定壁３１の上面には、一対のガイドレール３３・３３がそれぞれ突設されており、このガイドレール３３・３３でスライド扉４のローラー１７が走行案内される。図示していないが、スライド扉４の下框１３には、シール舌片が設けられており、下框１３とシール壁３２の隙間をシール舌片により封止して、下ガイド枠２１部分での庫内空気の流出を防止している。
【００２２】
左右の側枠２２・２３は左右勝手違いに構成されている。図５に示すように左側の側枠２２および右側の側枠２３は、スライド扉４の戸先框１０と対向する対向壁３５と、対向壁３５の前後、および中央から内向きに突設される３個の区画壁３６とを備えている。区画壁３６は、前区画壁３６ａ、中区画壁３６ｂ、および後区画壁３６ｃで構成されており、隣接する区画壁３６・３６の間に、閉止状態におけるスライド扉４の戸先框１０を収容する前戸袋溝３７ａと後戸袋溝３７ｂとが形成されている。前後の戸袋溝３７ａ・３７ｂは内向きに開口するように並列して形成されており、前戸袋溝３７ａは前区画壁３６ａおよび中区画壁３６ｂで区画され、後戸袋溝３７ｂは中区画壁３６ｂおよび後区画壁３６ｃで区画されている。前戸袋溝３７ａおよび後戸袋溝３７ｂの前後の対向内面間隔Ｌは同一に設定されており、戸先框１０の前後幅Ｂより大きく形成されている。後区画壁３６ｃは、前区画壁３６ａおよび中区画壁３６ｂよりも短く形成されており、後区画壁３６ｃの後面には前面開口部３に固定されるＬ字状の固定壁３８が一体に設けられている。前側に配置される右側のスライド扉４の戸先框１０は、右側の側枠２３の前戸袋溝３７ａに収容され、後側に配置される左側のスライド扉４の戸先框１０は、左側の側枠２２の後戸袋溝３７ｂに収容される。
【００２３】
戸先框１０と前戸袋溝３７ａおよび後戸袋溝３７ｂの対向面間にシール構造が設けられている。シール構造は、先に説明した戸先框１０の閉じ端面に設けた扉パッキン１５と、磁性金属製の吸着板４０とで構成されている。吸着板４０は、磁気吸着可能なステンレス鋼板からなり、閉じ状態のスライド扉４の戸先框１０を受入れる、左側の側枠２２の後戸袋溝３７ｂと、右側の側枠２３の前戸袋溝３７ａに配置されている。各区画壁３６ａ・３６ｂ・３６ｃの内面には、固定リブ４１が突接されており、この固定リブ４１で吸着板４０が溝底３９に密着するように固定されている。スライド扉４を閉止した状態において、シール構造が前戸袋溝３７ａおよび後戸袋溝３７ｂの内部に配置されるので、シール構造がショーケースの前面に露出するのを防いでショーケースの意匠性を高めている。
【００２４】
開口枠１９が備える上ガイド枠２０および下ガイド枠２１と、左右の側枠２２・２３とは、それぞれプラスチックを素材とする押出成形品で形成されており、本実施例では、塩化ビニルを押出成形して得られた条材を所定形状に切断および加工して形成している。
【００２５】
常態（反り変形が生じていない状態）におけるスライド扉４の扉枠９は、図６に想像線で示すように側面視において直線状になっている。しかし、塩化ビニルで形成された扉枠９は、冷却された低温の庫内空気と室温の庫外空気の温度差により庫内側が収縮して、図６に実線で示すように、側面視においてスライド扉４の上下方向の中央部が外向きに膨出する反り変形が生じる。
【００２６】
上記のような反り変形が生じたスライド扉４の戸先框１０が前区画壁３６ａおよび中区画壁３６ｂ（区画壁３６）の先端に衝突するのを解消するために、前戸袋溝３７ａおよび後戸袋溝３７ｂの前後の対向内面間隔Ｌの中心で規定される各戸袋溝３７ａ・３７ｂの溝中心Ｄを、戸先框１０の前後幅Ｂの中心で規定される各スライド扉４・４の戸先中心Ｇより前側に偏倚させて、前戸袋溝３７ａの前側に位置する前区画壁３６ａ、および後戸袋溝３７ｂの前側に位置する中区画壁３６ｂの後面と、戸先框１０の前面との間に、スライド扉４の前方への反り変形を吸収する余裕空間Ｓを確保している（図４参照）。なお、スライド扉４を案内する上ガイド枠２０と下ガイド枠２１のガイド中心はスライド扉４の戸先框１０の前後幅Ｂの中心に一致させてある。
【００２７】
図１に示すように、戸先框１０の閉じ端側の前後面には平坦な傾斜面で構成される逃げ面４４が設けられている。これにより、戸先框１０の先端部は先窄まり状に形成され、戸先框１０の閉じ端面部分は、その前後幅Ｂが他の部分より小さく設定される。これにより、戸先框１０が前戸袋溝３７ａおよび後戸袋溝３７ｂに進入する際に、戸先框１０の閉じ端面の前後幅Ｂが小さくなった分だけ、戸先框１０が前区画壁３６ａおよび中区画壁３６ｂの先端に衝突するのを解消できる。なお、逃げ面４４は、戸先框１０の先端側の前面および後面の少なくとも前面に設けてあればよい。
【００２８】
また、図１、図５に示すように、前区画壁３６ａの後面および中区画壁３６ｂの前後面には、平坦な傾斜面で構成される拡幅面４５が形成されている。拡幅面４５を形成することにより、各戸袋溝３７ａ・３７ｂの対向内面間隔Ｌは、先端に行くにしたがって広がるように構成されている。これにより、戸先框１０が前戸袋溝３７ａおよび後戸袋溝３７ｂに進入する際に、対向内面間隔Ｌが広がった分だけ、戸先框１０が前区画壁３６ａおよび中区画壁３６ｂの先端に衝突するのを解消できる。なお、拡幅面４５は、前区画壁３６ａおよび中区画壁３６ｂの後面に形成してあればよい。
【００２９】
以上のように、スライド扉４の前方への反り変形を吸収する余裕空間Ｓを確保したリーチイン型のショーケースによれば、戸先框１０が前戸袋溝３７ａおよび後戸袋溝３７ｂに進入する際に、余裕空間Ｓの分だけスライド扉４の反り変形を吸収できる。従って、庫内外の温度差によりスライド扉４に反り変形が生じた場合でも、戸先框１０が前後の戸袋溝３７ａ・３７ｂの前区画壁３６ａおよび中区画壁３６ｂに衝突するのを解消して、スライド扉４の閉じ操作を常に円滑に行える。また、例えばスライド扉４の戸先框１０、および左右の側枠２２・２３の各戸袋溝３７ａ・３７ｂの前後サイズが従来と同様であっても、余裕空間Ｓの分だけスライド扉４の反り変形を吸収でき、戸先框１０を前戸袋溝３７ａおよび後戸袋溝３７ｂに適切に収容して、シール構造によるシール機能を確実に発揮できる。
【００３０】
戸先框１０の閉じ端側の前後面に逃げ面４４を設けて、戸先框１０の先端部を先窄まり状に形成したので、戸先框１０の閉じ端面の前後幅が小さくなった分だけ、戸先框１０が前区画壁３６ａおよび中区画壁３６ｂに衝突するのをよく解消でき、スライド扉４の閉じ操作を常に円滑に行える。
【００３１】
各戸袋溝３７ａ・３７ｂの前側に位置する前区画壁３６ａの後面および中区画壁３６ｂの前後面に拡幅面４５を形成して、各戸袋溝３７ａ・３７ｂの対向内面間隔Ｌを、区画壁３６の先端に行くにしたがって広がるように構成したので、各戸袋溝３７ａ・３７ｂの対向内面間隔Ｌが広がった分だけ、戸先框１０が区画壁３６に衝突するのをさらに解消でき、スライド扉４の閉じ操作を常に円滑に行える。
【００３２】
磁石１６を備える扉パッキン１５と、磁性金属板製の吸着板４０とでシール構造を構成したので、磁石１６と吸着板４０との磁気吸着作用で、スライド扉４を閉じ状態に保持できる。これにより、スライド扉４が閉止状態のときに、スライド扉４の反り変形の度合いが変化して、スライド扉４の上下方向の中央部が前後に変位するような場合でも、扉パッキン１５が吸着板４０に密着しながら追随して、スライド扉４と側枠２２・２３との隙間を確実に封止して庫内空気の流出を防止できる。
【００３３】
上記の実施例では、戸先框１０の前後幅Ｂは略一定に形成したが、各戸袋溝３７ａ・３７ｂに収容される部分以外の前後幅を大きくして段付状に形成してもよい。この場合におけるスライド扉４の戸先中心Ｇは、各戸袋溝３７ａ・３７ｂに収容される部分の戸先框１０の前後中心で規定される。スライド扉４の前後方向のガイド位置を、各戸袋溝３７ａ・３７ｂの溝中心Ｄと略一致させ、戸先框１０の戸先中心Ｇをスライド扉４のガイド位置よりも後側に位置するように構成してもよい。逃げ面４４および拡幅面４５は、平坦な傾斜面で形成する必要はなく、凹弧面や凸弧面で形成してもよい。シール構造は、磁石１６を備える扉パッキン１５と吸着板４０との磁気吸着作用を利用したが、弾性体からなるパッキンと壁面との密着によるシール構造、あるいは凹部と凸部との凹凸嵌合によるシール構造であってもよい。
【符号の説明】
【００３４】
１  ショーケース本体
３  前面開口部
４  スライド扉
１０  戸先框
１５  扉パッキン
１６  磁石
１９  開口枠
２０  上ガイド枠
２１  下ガイド枠
２２  側枠
２３  側枠
３６  区画壁
３７ａ  前戸袋溝
３７ｂ  後戸袋溝
３９  溝底
４０  吸着板
４４  逃げ面
４５  拡幅面
Ｂ  戸先框の前後幅
Ｄ  前戸袋溝と後戸袋溝の溝中心
Ｇ  スライド扉の戸先中心
Ｓ  余裕空間
Ｌ  前戸袋溝および後戸袋溝の前後の対向内面間隔
【図１】
0006521665.tif 000002
【図２】
0006521665.tif 000003
【図３】
0006521665.tif 000004
【図４】
0006521665.tif 000005
【図５】
0006521665.tif 000006
【図６】
0006521665.tif 000007